(57)【特許請求の範囲】
【請求項１】
燃料を気化する気化器と、該気化器を加熱する気化ヒータと、前記気化器で気化された燃料を燃焼するバーナ部と、前記気化器の温度を検知する気化温度センサと、該気化温度センサの検知信号を受けて気化器が所定温度となるように気化ヒータを制御する気化ヒータ制御部と、予熱指令を入力する操作部と、時間を表示可能な表示部とを備え、前記予熱指令により燃焼開始前に気化器を所定温度まで予熱する気化式液体燃料燃焼装置に於いて、前記気化温度センサの検知信号を受け所定時間内若しくは所要時間内の気化器の温度変化に基づいて温度勾配を計測する温度計測部と、所定温度と気化器温度との温度差及び前記温度勾配に基づいて予熱待機時間を演算して推測する推測演算部とを設け、予熱動作中に前記予熱待機時間を前記表示部に表示することを特徴とする気化式液体燃料燃焼装置。
【請求項２】
燃料を気化する気化器と、該気化器を加熱する気化ヒータと、前記気化器で気化された燃料を燃焼するバーナ部と、前記気化器を経由して前記バーナ部に燃焼空気を供給する燃焼ファンと、前記気化器の温度を検知する気化温度センサと、該気化温度センサの検知信号を受けて気化器が燃料の気化可能な第１の所定温度となるように気化ヒータを制御する気化ヒータ制御部と、前記気化温度センサの検知信号を受けて気化器が前記第１の所定温度より低い第２の所定温度に達したときに前記燃焼ファンを所定時間駆動する燃焼ファン制御部と、予熱指令を入力する操作部と、時間を表示可能な表示部とを備え、前記予熱指令により燃焼開始前に気化器を前記第１の所定温度まで予熱する気化式液体燃料燃焼装置に於いて、前記気化温度センサの検知信号を受け所定時間内若しくは所要時間内の気化器の温度変化に基づいて温度勾配を計測する温度計測部と、前記第２の所定温度と気化器温度との温度差及び前記温度勾配及び燃焼ファン駆動時間に基づいて予熱待機時間を演算して推測する推測演算部とを設け、予熱動作中に前記予熱待機時間を前記表示部に表示することを特徴とする気化式液体燃料燃焼装置。
【請求項３】
燃料を気化する気化器と、該気化器を加熱する気化ヒータと、前記気化器で気化された燃料を燃焼するバーナ部と、前記気化器を経由して前記バーナ部に燃焼空気を供給する燃焼ファンと、前記燃焼空気の温度を検知する空気温度センサと、前記気化器の温度を検知する気化温度センサと、該気化温度センサの検知信号を受けて気化器が燃料の気化可能な第１の所定温度となるように気化ヒータを制御する気化ヒータ制御部と、前記気化温度センサの検知信号を受けて気化器が前記第１の所定温度より低い第２の所定温度に達したときに前記燃焼ファンを所定時間駆動する燃焼ファン制御部と、予熱指令を入力する操作部と、時間を表示可能な表示部とを備え、前記予熱指令により燃焼開始前に気化器を前記第１の所定温度まで予熱する気化式液体燃料燃焼装置に於いて、前記気化温度センサの検知信号を受け所定時間若しくは所要時間内の気化器の温度変化に基づいて温度勾配を計測する温度計測部と、前記空気温度センサの検知信号に応じて前記燃焼ファンの駆動時間を決定する駆動時間決定部と、前記第２の所定温度と気化器温度との温度差及び前記温度勾配及び燃焼ファン駆動時間に基づいて予熱待機時間を演算して推測する推測演算部とを設け、予熱動作中に前記予熱待機時間を前記表示部に表示することを特徴とする気化式液体燃料燃焼装置。
【請求項４】
前記予熱待機時間を所定時間毎若しくは所要時間毎に推測して表示部に表示することを特徴とする請求項１から３記載の気化式液体燃料燃焼装置。
【請求項５】
前記予熱待機時間を予熱終了時刻に換算する換算部を設け、予熱動作中に前記予熱終了時刻を表示部に表示することを特徴とする請求項１から４記載の気化式液体燃料燃焼装置。
【請求項６】
前記予熱待機時間の終了時点の所定時間前から該所定時間をカウントして表示することを特徴とする請求項１から５記載の気化式液体燃料燃焼装置。
【発明の詳細な説明】
【０００１】
【産業上の利用分野】
この発明は給湯機、暖房機等の液体燃料を気化させる気化器を燃焼開始前に気化ヒータで予熱するようにした気化式液体燃料燃焼装置の予熱時の制御に関するものである。
【０００２】
【従来の技術】
従来よりこの種のものに於いては、例えば実公平１−１６９３９号公報に開示されている如く、気化器の温度にそれぞれ対応させた複数の発光体を気化器の温度上昇に伴い順次点灯させることによって、この気化器の予熱がどの程度進行しているのかを使用者に知らせるものがあった。
【０００３】
【発明が解決しようとする課題】
ところがこの従来のものでは、気化ヒータに供給する電源電圧や、気化器の雰囲気温度によって予熱待機時間が大きく変化し、従って発光体が点灯するまでの時間も大きく変化するため、予熱の進行の程度はわかるものの、具体的に後どれだけ待てばよいのかまではわからず、使用者の不満を募らせるものであった。
【０００４】
【課題を解決するための手段】
本発明はこの点に着目し上記欠点を解決するため特にその構成を、燃料を気化する気化器と、該気化器を加熱する気化ヒータと、前記気化器で気化された燃料を燃焼するバーナ部と、前記気化器の温度を検知する気化温度センサと、該気化温度センサの検知信号を受けて気化器が所定温度となるように気化ヒータを制御する気化ヒータ制御部と、予熱指令を入力する操作部と、時間を表示可能な表示部とを備え、前記予熱指令により燃焼開始前に気化器を所定温度まで予熱する気化式液体燃料燃焼装置に於いて、前記気化温度センサの検知信号を受け所定時間内若しくは所要時間内の気化器の温度変化に基づいて温度勾配を計測する温度計測部と、所定温度と気化器温度との温度差及び前記温度勾配に基づいて予熱待機時間を演算して推測する推測演算部とを設け、予熱動作中に前記予熱待機時間を前記表示部に表示するものとした。
【０００５】
又燃料を気化する気化器と、該気化器を加熱する気化ヒータと、前記気化器で気化された燃料を燃焼するバーナ部と、前記気化器を経由して前記バーナ部に燃焼空気を供給する燃焼ファンと、前記気化器の温度を検知する気化温度センサと、該気化温度センサの検知信号を受けて気化器が燃料の気化可能な第１の所定温度となるように気化ヒータを制御する気化ヒータ制御部と、前記気化温度センサの検知信号を受けて気化器が前記第１の所定温度より低い第２の所定温度に達したときに前記燃焼ファンを所定時間駆動する燃焼ファン制御部と、予熱指令を入力する操作部と、時間を表示可能な表示部とを備え、前記予熱指令により燃焼開始前に気化器を前記第１の所定温度まで予熱する気化式液体燃料燃焼装置に於いて、前記気化温度センサの検知信号を受け所定時間内若しくは所要時間内の気化器の温度変化に基づいて温度勾配を計測する温度計測部と、前記第２の所定温度と気化器温度との温度差及び前記温度勾配及び燃焼ファン駆動時間に基づいて予熱待機時間を演算して推測する推測演算部とを設け、予熱動作中に前記予熱待機時間を前記表示部に表示するものとした。
【０００６】
又燃料を気化する気化器と、該気化器を加熱する気化ヒータと、前記気化器で気化された燃料を燃焼するバーナ部と、前記気化器を経由して前記バーナ部に燃焼空気を供給する燃焼ファンと、前記燃焼空気の温度を検知する空気温度センサと、前記気化器の温度を検知する気化温度センサと、該気化温度センサの検知信号を受けて気化器が燃料の気化可能な第１の所定温度となるように気化ヒータを制御する気化ヒータ制御部と、前記気化温度センサの検知信号を受けて気化器が前記第１の所定温度より低い第２の所定温度に達したときに前記燃焼ファンを所定時間駆動する燃焼ファン制御部と、予熱指令を入力する操作部と、時間を表示可能な表示部とを備え、前記予熱指令により燃焼開始前に気化器を前記第１の所定温度まで予熱する気化式液体燃料燃焼装置に於いて、前記気化温度センサの検知信号を受け所定時間若しくは所要時間内の気化器の温度変化に基づいて温度勾配を計測する温度計測部と、前記空気温度センサの検知信号に応じて前記燃焼ファンの駆動時間を決定する駆動時間決定部と、前記第２の所定温度と気化器温度との温度差及び前記温度勾配及び燃焼ファン駆動時間に基づいて予熱待機時間を演算して推測する推測演算部とを設け、予熱動作中に前記予熱待機時間を前記表示部に表示するものとした。
【０００７】
又前記予熱待機時間を所定時間毎若しくは所要時間毎に推測して表示部に表示するものとした。
【０００８】
又前記予熱待機時間を予熱終了時刻に換算する換算部を設け、予熱動作中に前記予熱終了時刻を表示部に表示するものとした。
【０００９】
又前記予熱待機時間の終了時点の所定時間前から該所定時間をカウントして表示するものとした。
【００１０】
【作用】
上記のような構成にしたことによって、気化器５の温度勾配を温度計測部２２で計測し、この温度勾配によって推測演算部２６で予熱待機時間を推測して表示部２０に表示するので、表示部２０を見て具体的にどれだけ待てばよいのかを知ることができる。
【００１１】
又燃焼ファン８からの送風によって気化器５の温度勾配が変わる場合でも、送風前の気化器５の温度勾配を温度計測部２２で計測し、更に燃焼ファン８の駆動時間を加算して推測演算部２６で予熱待機時間を推測して表示部２０に表示するので、表示部２０を見て具体的にどれだけ待てばよいのかを知ることができる。
【００１２】
又燃焼空気温度が低下している場合にも、駆動時間決定部２９が空気温度センサ１３の検知信号に応じて、バーナ部３を加熱する適切な燃焼ファン駆動時間を選択し、この駆動時間を含めた予熱待機時間を推測演算部２６が推測して表示するので、表示部２０を見て具体的にどれだけ待てばよいのかを知ることができる。
【００１３】
又所定時間毎若しくは所要時間毎に繰り返し温度計測部２２で温度勾配を計測し、推測演算部２６で予熱待機時間を推測させているので、予熱中のいつ表示部２０を見てもその時々の残りの予熱待機時間を知ることができる。
【００１４】
又推測演算部２６で推測された予熱待機時間を換算部３０で予熱の終了時刻に換算して表示部２０に表示するので、予熱がいつ終了するのかを時刻として直接的に知ることができる。
【００１５】
又推測演算部２６で推測された予熱待機時間終了時点の所定時間前からは秒単位でカウントして表示部２０に表示するので、予熱終了間際であることを知ることができる。
【００１６】
【実施例】
本発明に係る気化式液体燃料燃焼装置を図面に示す如く、給湯機に適用した第１の実施例について説明する。
１は給湯路２途中に備えられた熱交換器で、下方に位置するバーナ部３の燃焼で加熱され、給湯路２先端に備えられた給湯栓４の開栓で適宜給湯を行うものである。
【００１７】
５は気化ヒータ６及び気化器温度センサ７を備えた気化器で、燃料の気化可能温度である所定温度まで加熱されこの温度を保持し、気化ガスを燃焼空気と予混合してこれを連通したバーナ部３で燃焼させるものである。
【００１８】
８は送風路９を介して気化器５に予混合用の一次空気を、又バーナ部３には燃焼用の二次空気をそれぞれ供給する燃焼ファンで、本体枠１０側壁に形成された燃焼空気の取入口１１から流入した空気を空気入口１２から吸引して各部に供給するものであり、この空気入口１２には燃焼空気温度を検知する空気温度センサ１３が備えられている。
【００１９】
１４は熱交換後の排気ガスを排出する排出口で、熱交換器１及びバーナ部３を備えた排気経路１５と連通している。
【００２０】
１６は熱交換器１より上流側の給湯路２に備えられた流水センサで、給湯栓４の開栓による所定流量以上の流水を検知して給湯を必要とする熱要求信号を出力するものである。
【００２１】
１７は熱交換器１と給湯栓４との間の給湯路２途中に備えられた出湯温度センサで、出湯温度を検知するものである。
【００２２】
１８は給湯栓４の近傍で図示しない家屋の壁面に設けられたリモコン式の操作部で、時刻設定スイッチ、給湯温度設定スイッチ、運転スイッチ１９等の各種スイッチ類と、給湯設定温度表示、予熱中表示、燃焼表示、エラー表示等の各種の情報と現在時刻をデジタル表示できる表示部２０とを有しており、給湯機本体とは有線接続されているものである。
【００２３】
２１は気化ヒータ６を制御する気化ヒータ制御部で、操作部１８の運転スイッチ１９が投入されて予熱指令が入力されると気化ヒータ６をONし、その後気化温度センサ７の検知信号を受けて気化ヒータ６を２３５℃でOFFし、２２５℃でONする制御を行う。
【００２４】
２２は内部に気化器５が一定温度上昇するのに要する所要時間を計測するタイマ機能２３と、必要な温度及び時間を記憶するメモリ機能２４と、気化温度センサ７の検知信号を受けて気化器温度が所定温度に達しているかを判定する比較機能２５を有した温度計測部で、これらの機能により気化器温度が１０℃上昇するのに要する所要時間により気化器５の温度勾配を計測しているものである。尚、所定時間内の気化器５の上昇温度を検知して温度勾配を計測することも可能である。
【００２５】
２６は所定温度と気化器温度との温度差及び温度計測部２２で計測された温度勾配とに基づいて予熱待機時間を演算して推測する推測演算部で、ここでの演算式は気化可能な所定温度と気化器の現在温度との温度差を温度勾配で除したものである。
尚、前記気化ヒータ制御部２１、温度計測部２２、推測演算部２６はこの気化式液体燃料燃焼装置の作動を制御するマイクロコンピュータから構成される制御装置２７内に設けられているものである。
【００２６】
次にこの第１の実施例の作動を図４のフローチャート及び図５の(a),(b),(c),(f)及び図６を用いて説明する。
今操作部１８の運転スイッチ１９が入力されると（ステップ１、以下の記述及び図面ではＳ１と略す）、気化ヒータ６に通電を開始して予熱動作開始となる（Ｓ２）。
【００２７】
更に次のＳ３では、表示部２０を図５の(a)ように現在時刻のみを表示した状態から図５の(b)のように表示部２０に予熱中表示を点灯させると共に予熱中表示点灯及び設定給湯温度を表示して、運転状態で予熱動作に入ったことが分かるような状態にする。
【００２８】
そして次にＳ４に進み、温度計測部２２で気化器温度が燃料の気化可能な所定温度２２５℃より低いかどうかを判断する。
このＳ４では、気化器温度が２２５℃より低い場合にはYesでＳ５へ進み、温度計測部２２にて気化器温度をｘ℃として記憶し、次にＳ６でこのｘ℃の記憶が初回であったかを判断し、初回であった場合には（Ｓ６でYes）、Ｓ７へ進み気化器温度が（ｘ＋１０）℃に達するまで待機する。これは気化ヒータ６の起動後の安定と気化器５の温度上昇が安定するのを待つためである。
【００２９】
そしてＳ７では温度計測部２２にて気化器温度が（ｘ＋１０）℃に達したのを検出すると、Ｓ４に戻り再び気化器温度が２２５℃に達していないことを確認してYesでＳ５へ進み、新たに気化器温度をｘ℃として記憶する。
【００３０】
そして次のＳ６ではこのｘ℃の記憶が二回目であるのでNoでＳ８へ進み、温度計測部２２でタイマカウントを開始してから、Ｓ９へ進み気化器温度が（ｘ＋１０）℃に上昇するまで待機する。
【００３１】
そして温度計測部２２が気化器温度が（ｘ＋１０）℃に達したことを検出すると（Ｓ９でYes）、Ｓ１０へ進みタイマカウントを停止する。そしてＳ１１で温度計測部２２はこのタイマカウント時間をｔ１秒として記憶し、更に次のＳ１２ではこの気化器温度（ｘ＋１０）℃をｙ℃として記憶する。以上により気化器５の温度勾配が計測され、ここでは１０℃／ｔ１秒が気化器５の温度勾配となる。
【００３２】
次にＳ１３で、温度計測部２２で計測された温度勾配と、所定温度と気化器温度との温度差とに基づいて、予熱待機時間を推測演算部２６にて演算式を用いて推測する。
【００３３】
そして次のＳ１４で、推測演算部２６で推測された予熱待機時間を表示部２０に表示する。
この時表示部２０の表示は現在時刻表示状態（図５の(b)）から予熱待機時間表示状態（図５の(c)）に切り換わり、又予熱待機時間表示を点滅表示させて予熱待機時間を表示していることを認識しやすくしている。
【００３４】
そして次のＳ１５では、気化器温度が気化可能な所定温度２３５℃以上になったらYesでＳ１６へ進み、気化ヒータ６への通電を停止し、Ｓ１７で予熱中表示を消灯すると共に予熱待機時間表示を現在時間表示に切り換えるので表示部２０の表示は図５の(f)のようになる。
尚、前記Ｓ４でNoの場合には、即ち気化器温度が２２５℃以上の場合は予熱待機時間がごく短いと判断してＳ１５へ進み予熱待機時間を表示せずに気化器温度が２３５℃以上になって予熱が完了したかどうかを判断する。
【００３５】
Ｓ１７で表示が切り換わると共に予熱制御終了となり、熱要求待ちの通常制御状態に移行するものである（Ｓ１８）。このＳ１８は熱要求待ちの制御のみでなく、燃焼制御になっても良いものである。
【００３６】
従って、予熱中に予熱待機時間が表示されるので、使用者は台所等に設けられている操作部１８近傍の表示部２０を見て予熱にどれだけ時間がかかるのかを知ることができ、都合の良いものであると共に、時刻を表示していた表示部２０に予熱待機時間を表示するので新たな表示器を設ける必要もないものである。
【００３７】
次に気化器５の予熱中に燃焼ファン８を駆動してバーナ部３を加熱する場合の第２の実施例について図７及び図８、図９のフローチャート及び図１０に従って説明する。尚、第１の実施例と同一のもの及び同一のステップについては同一の符号を付して説明を省略する。
【００３８】
２８は燃焼ファン制御部で、気化器５の予熱動作中に気化器温度が気化可能な所定温度より低い所定温度２１０℃に達したことを検知すると、バーナ部３を加熱してガス化した燃料の結露を防止する為に予め定められた所定時間ｔ２秒間（例えば２５秒間）燃焼ファン８を駆動して、ｔ２秒経過した後は燃焼ファン８を駆動停止すると共に、気化ヒータ制御部２１に駆動終了の信号を送るものである。この信号を受けた気化ヒータ制御部２１は気化ヒータ６の通電を停止して予熱終了となるものである。又予め定められた所定時間ｔ２は前記推測演算部に２６に出力される。
【００３９】
今操作部１８の運転スイッチ１９が入力されると（Ｓ１）、Ｓ２に進み気化ヒータ制御部２１は気化ヒータ６に通電を開始して予熱動作開始となる。
【００４０】
更に次のＳ３では、表示部２０を図５の(a)ように現在時刻のみを表示した状態から図５の(b)のように表示部２０に予熱中表示を点灯させると共に予熱中表示点灯及び設定給湯温度を表示して、運転状態で予熱動作に入ったことが分かるような状態にする。
【００４１】
そして次のＳ１９で、温度計測部２２で気化器温度が燃焼ファン駆動開始温度２１０℃より低い所定温度２００℃より低いかどうかを判断する。
【００４２】
Ｓ１９でYesの場合、即ち気化器温度が２００℃より低い場合には、Ｓ５へ進み温度計測部２２にて気化器温度をｘ℃として記憶し、次にＳ６でこのｘ℃の記憶が初回であったかを判断し、初回であった場合（Ｓ６でYes）には、Ｓ７へ進み気化器温度が（ｘ＋１０）℃に達するまで待機する。これは気化ヒータ６の起動後の安定と気化器５の温度上昇が安定するのを待つためである。
【００４３】
そして温度計測部２２にて気化器温度が（ｘ＋１０）℃に達したのを検出すると（Ｓ７でYes）、Ｓ１９に戻り再び気化器温度が２００℃に達していないことを確認してから、Ｓ５で新たに気化器温度をｘ℃として記憶する。
【００４４】
そして次にこのｘ℃の記憶が二回目であるので（Ｓ６でNo）、Ｓ８へ進み温度計測部２２でタイマカウントを開始し、Ｓ９で気化器温度が（ｘ＋１０）℃に上昇するまで待機する。
【００４５】
そして温度計測部２２が気化器温度が（ｘ＋１０）℃に達したことを検出すると（Ｓ９でYes）、Ｓ１０へ進みタイマカウントを停止する。そして次のＳ１１で温度計測部２２はこのタイマカウント時間をｔ１秒として記憶し、更にＳ１２でこの気化器温度（ｘ＋１０）℃をｙ℃として記憶する。以上により気化器５の温度勾配が計測され、ここでは１０℃／ｔ１秒が気化器５の温度勾配となる。
【００４６】
次にＳ２０で推測演算部２６にて予熱待機時間を推測する。この推測演算部２６では気化器の温度勾配及び燃焼ファン８を駆動する所定時間に基づいて予熱待機時間を演算して推測するようになっており、ここでの演算式は燃焼ファン８が駆動開始する所定温度と気化器温度との温度差を温度勾配で除し、更に燃焼ファン制御部２８の出力により燃焼ファン８の駆動時間ｔ２を加えて予熱待機時間を推測するものである。
そして次にＳ２１にて、推測演算部２６で推測された予熱待機時間を表示部２０に表示する。
【００４７】
そして次のＳ２２では、燃焼ファン制御部２８で気化器温度が燃焼ファン駆動温度２１０℃に達したことを検知すると、Ｓ２３へ進み予熱中表示を点滅すると共に予熱待機時間表示を現在時間表示に切り換え、Ｓ２４にて燃焼ファン制御部２８が燃焼ファン８をｔ２秒間駆動する。
尚、前記Ｓ１９でNoの場合、即ち気化器温度が２００℃以上の場合は燃焼ファン８を駆動するまでの時間が短いと判断してＳ２２へ進み予熱待機時間を表示せずに気化器温度が燃焼ファン駆動開始温度２１０℃以上に達したかどうかを判断する。
【００４８】
Ｓ２４で燃焼ファン８が駆動され続くＳ２５では、燃焼ファン８をｔ２秒間駆動している間に気化器温度が２３５℃以上になったかどうか判断し、Yesの場合はＳ２７へ進み直ぐに燃焼ファン８を駆動停止すると共にＳ１６で気化ヒータ６の通電も停止する。
又Ｓ２５でNoの場合、即ち気化器温度が２３５℃より低い場合はＳ２６に進み、燃焼ファン駆動時間ｔ２が経過した場合（Ｓ２６でYes）にもＳ２７で燃焼ファン８を駆動停止すると共にＳ１６で気化ヒータ６の通電も停止し、予熱中表示を消灯させて（Ｓ１７）、熱要求待ちの通常制御に移行するものである（Ｓ１８）。
【００４９】
従って、燃焼ファン８を所定時間駆動してバーナ部３を加熱する場合の気化器の温度勾配が予熱開始から予熱終了まで一様でなく、予熱待機時間の推測が困難である場合にも、予熱中に予熱待機時間が表示されるので、使用者は台所等に設けられている表示部２０を見て予熱にどれだけ時間がかかるのかを知ることができ都合の良いものであると共に、時刻を表示していた表示部２０に予熱待機時間を表示するので新たな表示器を設ける必要もないものである。
【００５０】
次にこの発明の第３の実施例について説明する。尚、第１、第２の実施例と同一のもの及び同一のステップについては同一の符号を付して説明を省略する。
【００５１】
２９は空気温度センサ１３が接続された駆動時間決定部で、燃焼ファン８の駆動時間ｔ２は空気温度センサ１３によって検知される燃焼空気温度に応じて可変させる構成となっており、即ちここでは空気温度が０℃以下の場合は６０秒駆動し、０℃以上１５℃未満の場合には４０秒駆動し、１５℃以上の場合には２５秒駆動するように、予め設定記憶しておき空気温度に応じて選択するようになっている。
【００５２】
又燃焼ファン８が駆動され、気化器５の熱を利用してバーナ部３を加熱して選択された所定時間ｔ２が経過すると燃焼ファン８を駆動停止して予熱が終了するようになっており、この燃焼ファン８の駆動時間ｔ２は推測演算部２６に出力されて、この燃焼ファン８の駆動時間ｔ２を含めた予熱待機時間が推測され、残りの予熱待機時間が燃焼ファン８の駆動時間ｔ２以下になるとこの駆動時間をカウントダウン若しくはカウントアップして表示部２０に表示するものである。
【００５３】
今操作部１８の運転スイッチ１９が入力されると（Ｓ１）、Ｓ２で気化ヒータ制御部２１は気化ヒータ６に通電を開始して予熱動作開始となる。
【００５４】
更に次のＳ３では表示部２０を図５の(a)ように現在時刻のみを表示した状態から図５の(b)のように表示部２０に予熱中表示を点灯させると共に予熱中表示点灯及び設定給湯温度を表示して、運転状態で予熱動作に入ったことが分かるような状態にする。
【００５５】
そして次にＳ２８で、温度計測部２２で気化器温度が燃焼ファン駆動開始温度２１０℃より低い所定温度２００℃より低いかどうかを判断する。
【００５６】
Ｓ２８でYesの場合、即ち気化器温度が２００℃より低い場合には、Ｓ５へ進み温度計測部２２にて気化器温度をｘ℃として記憶し、次にＳ６でこのｘ℃の記憶が初回であったかを判断し、初回であった場合には（Ｓ６でYes）、Ｓ７へ進み気化器温度が（ｘ＋１０）℃に達するまで待機する。これは気化ヒータ６の起動後の安定と気化器５の温度上昇が安定するのを待つためである。
【００５７】
そしてＳ７でYes、即ち温度計測部２２にて気化器温度が（ｘ＋１０）℃に達したのを検出すると、Ｓ４に戻り気化器温度が２００℃に達していないことを確認してから、Ｓ５で新たに気化器温度をｘ℃として記憶する。
【００５８】
そして次にこのｘ℃の記憶が二回目以降であるので（Ｓ６でNo）、Ｓ８へ進み温度計測部２２でタイマカウントを開始し、次のＳ９で気化器温度が（ｘ＋１０）℃に上昇するまで待機する。
【００５９】
そして温度計測部２２が気化器温度が（ｘ＋１０）℃に達したことを検出すると（Ｓ９でYes）、Ｓ１０へ進みタイマカウントを停止する。そして次のＳ１１で温度計測部２２はこのタイマカウント時間をｔ１秒として記憶し、更にＳ１２でこの気化器温度（ｘ＋１０）℃をｙ℃として記憶する。以上により気化器５の温度勾配が計測され、ここでは１０℃／ｔ１秒が気化器５の温度勾配となる。
【００６０】
そして次のＳ２９は、駆動時間決定部２９にて空気温度センサ１３が検知する空気温度が０℃以下かどうか判定し、Yesの場合即ち空気温度が０℃以下であればＳ３０へ進み燃焼ファン８の駆動時間ｔ２を６０秒と記憶する。
【００６１】
又Ｓ２９でNoならＳ３１へ進み、Ｓ３１でYes即ち空気温度が０℃以上１５℃未満であれば、Ｓ３２へ進み燃焼ファン８の駆動時間ｔ２を４０秒として記憶する。
【００６２】
又Ｓ３１でNo、即ち空気温度が１５℃以上であれば、Ｓ３３へ進み燃焼ファン８の駆動時間ｔ２を２５秒として記憶するようになっており、燃焼ファン８の駆動時間ｔ２が決定されると、Ｓ３４へ進み気化器温度が２００℃に達していないことを確認する。
尚、前記Ｓ２８でNo、即ち気化器温度が２００℃より高い場合にはＳ２９へ進み燃焼ファン駆動時間ｔ２を決定するようになっている。
【００６３】
そしてＳ３４でYes、即ち気化器温度が２００℃以下であるならば、Ｓ３５へ進み気化器の温度勾配に基づいて推測演算部２６が予熱待機時間を演算して推測するようになっており、ここでの演算式は燃焼ファン８が駆動開始する所定温度と気化器温度との温度差を温度勾配で除し、更に駆動時間決定部２９で決定された燃焼ファン８の駆動時間ｔ２を加えて予熱待機時間を推測するものである。
【００６４】
次のＳ３６では、前記推測演算部２６で推測された予熱待機時間を表示部２０に表示する。
この時表示部２０の表示は現在時刻表示状態（図５の(b)）から予熱待機時間表示状態（図５の(c)）に切り換わり、又予熱待機時間表示を点滅表示させて予熱待機時間を表示していることを認識しやすくしている。
【００６５】
次のＳ３７で、気化器温度が２１０℃より低いと判断されるとNoでＳ２８に戻り、気化器温度が２１０℃に達するまで繰り返し予熱待機時間を演算・推測する。この予熱待機時間推測の繰り返しは本実施例に於いては気化器温度が１０℃上昇するのに要する時間毎に行われ、即ち気化器５の温度勾配の計測時間毎に残りの予熱待機時間が更新されて表示されるものである。
【００６６】
気化器温度が燃焼ファン８を駆動する所定温度２１０℃以上に達したら（Ｓ３７でYes）、Ｓ２４へ進み燃焼ファン８をｔ２秒間駆動開始し、同時にＳ３８にて推測演算部２６でｔ２秒を１秒単位でカウントダウン開始して表示部２０に表示させ、Ｓ３９でカウントダウンが終了して表示が０になると次のＳ２７へ進み燃焼ファン８の駆動を停止する。同時にＳ１６で気化ヒータ６の通電を停止し、Ｓ１７で予熱中表示を消灯すると共に表示部の表示を現在時刻表示に戻して、Ｓ１８の通常制御に移行するものである。
【００６７】
従って、表示部２０は図５の(a)〜(f)のように現在時刻表示から予熱時間表示に切り換わり、所要時間毎に次々と残りの予熱待機時間が表示されるので、使用者は予熱終了までの残り時間をその時々に確認できて都合の良いものである。
更に、予熱中に予熱待機時間又は予熱終了時刻を知ることが出来ると共に、予熱終了の所定時間前からは秒単位でカウントダウンして表示するので、予熱終了間際であることを認識しやすいものである。
【００６８】
尚、本実施例に於いては気化器温度が１０℃上昇するのに必要な時間毎に予熱待機時間を演算・表示するようにしたが、例えば１０秒経過毎に上昇する気化器温度を用いて温度勾配を計測し、１０秒毎に予熱待機時間を演算・表示するようにしても良いものであり、この気化器５の温度勾配を計測するのに要する時間、即ち所要時間若しくは所定時間を短くすることで、頻繁に予熱待機時間表示を更新させることが可能である。ここで言う所要時間を短くするとは、所定の上昇温度（実施例中では１０℃）を小さくしてやることである。
【００６９】
又、本実施例では予熱終了は燃焼ファン８の駆動終了によるものであるので、予熱待機時間の終了時点前の所定時間は燃焼ファン８の駆動時間によって決定されるものであるが、これに限らず例えば単に、推測演算部２３によって推測された予熱待機時間が所定時間以下になったときにカウントダウン若しくはカウントアップしても良いものである。
【００７０】
次にこの発明の第４の実施例について図１４及び図１５、図１６のフローチャートに従って説明する。尚、第１〜第３の実施例と同一のもの及び同一のステップについては同一の符号を付して説明を省略する。
【００７１】
３０は推測演算部２６で推測された予熱待機時間を現在時刻に加算して予熱終了時刻に換算する換算部で、この換算された予熱終了時刻を表示部２０に表示するものである。
【００７２】
今操作部１８の運転スイッチ１９が投入され予熱指令が入力されると（Ｓ１）、Ｓ２に進み気化ヒータ制御部２１は気化ヒータ６に通電を開始すると共にＳ３で予熱中表示を点灯させて予熱動作に入るものである。
【００７３】
その後第２の実施例と同様に温度勾配を計測するものであるが、本実施例中に於いては、１０秒ごとに温度勾配を計測しており（Ｓ５、Ｓ４１、Ｓ４２）、このように所定時間内の上昇温度により計測された温度勾配（ｘ−ｙ）℃／１０秒と、燃焼ファン８を駆動開始する所定温度と気化器温度との温度差と、燃焼ファン８を駆動する所定時間ｔ２とに基づいて予熱待機時間を演算・推測する（Ｓ４３）。
【００７４】
次のＳ４４では推測演算部２６で演算・推測された予熱待機時間は換算部３０に入力され、この換算部２９では予熱待機時間と現在時刻とを加算して予熱終了時刻に換算して、Ｓ４５で表示部２０に予熱終了時刻を表示する。
その後、Ｓ２２で気化器温度が２１０℃以上となると、前記第２の実施例と同様の動作を行い、Ｓ１８の通常制御に移行するものである。
【００７５】
従って、表示部２０には予熱の終了する予定時刻が表示されるので、使用者は予熱終了時刻を確実に知ることができ都合の良いものである。
尚、予熱終了時刻の表示は予熱中の一定時間のみ、若しくは予熱終了時刻と現在時刻を交互に一定時間ずつ表示するようにしても良いものである。
【００７６】
尚、この発明はここに説明した実施例のみに限られるものではなく、様々な組合せにより実施可能である。
【００７７】
【発明の効果】
以上のように本発明によれば、気化器の温度勾配によって予熱待機時間や予熱終了時刻を推測し、予熱完了までの時間を表示器に表示するものあるので、電源電圧や気化器の雰囲気温度の変化にかかわらず予熱待機時間を推測でき、予熱が終了するまでどれだけの時間がかかるのかを知りたいと願う使用者のニーズを確実に満たして使い勝手を向上することが出来るものである。
【図面の簡単な説明】
【図１】この発明の気化式液体燃料燃焼装置を給湯機に適用した場合の概略構成図。
【図２】同気化式液体燃料燃焼装置の操作部の正面図。
【図３】この発明に係る第１の実施例の制御装置のブロック図。
【図４】この発明に係る第１の実施例のフローチャート。
【図５】この発明に係る気化式液体燃料燃焼装置の表示部の説明図。
【図６】この発明に係る第１の実施例の作動説明図。
【図７】この発明に係る第２の実施例の制御装置のブロック図。
【図８】この発明に係る第２の実施例のフローチャート（１）。
【図９】この発明に係る第２の実施例のフローチャート（２）。
【図１０】この発明に係る第２〜第４の実施例の作動説明図。
【図１１】この発明に係る第３の実施例のブロック図。
【図１２】この発明に係る第３の実施例のフローチャート（１）。
【図１３】この発明に係る第３の実施例のフローチャート（２）。
【図１４】この発明に係る第４の実施例の制御装置のブロック図。
【図１５】この発明に係る第４の実施例のフローチャート（１）。
【図１６】この発明に係る第２の実施例のフローチャート（２）。
【符号の説明】
５    気化器
６    気化ヒータ
７    気化温度センサ
８    燃焼ファン
１３  空気温度センサ
１８  操作部
２０  表示部
２１  気化ヒータ制御部
２２  温度計測部
２６  推測演算部
２８  燃焼ファン制御部
２９  駆動時間決定部
３０  換算部
【図１】
0003727185.tif 000002
【図２】
0003727185.tif 000003
【図３】
0003727185.tif 000004
【図４】
0003727185.tif 000005
【図５】
0003727185.tif 000006
【図６】
0003727185.tif 000007
【図７】
0003727185.tif 000008
【図８】
0003727185.tif 000009
【図９】
0003727185.tif 000010
【図１０】
0003727185.tif 000011
【図１１】
0003727185.tif 000012
【図１２】
0003727185.tif 000013
【図１３】
0003727185.tif 000014
【図１４】
0003727185.tif 000015
【図１５】
0003727185.tif 000016
【図１６】
0003727185.tif 000017